(57)【要約】【課題】対象物に付着した付着物を効率よく除去することができる付着物除去具を提供する。【解決手段】モータ２１と、モータ２１を駆動源として回転する軸流のファン２３と、ファン２３の上流側または下流側に配置されたヒータ３１と、を備え、ファン２３とヒータ３１とによって、例えば、車両のフロントガラスに付着した霜のような低温の付着物に向けて温めた空気を吹き出すことによって、付着物を除去する。【選択図】図１
2019206222.tif 000002
【特許請求の範囲】
【請求項１】
モータと、
前記モータを駆動源として回転するファンと、
前記ファンの上流側または下流側に配置されたヒータと、
を備え、
前記ファンと前記ヒータとによって、対象物に付着した付着物に向けて温めた空気を吹き出すことにより、前記付着物を除去する、
ことを特徴とする付着物除去具。
【請求項２】
前記ファンの下流側に配置された回収部、
を備え、
前記回収部は、温められた空気によって前記対象物から除去され、前記ファンによって下流側に流された前記付着物を回収する、
請求項１に記載の付着物除去具。
【請求項３】
前記ファンと前記ヒータとの下流側に配置され、前記ヒータが温めた空気を前記対象物に向けて吹き出す吹出口と、
前記吹出口の近傍の前記対象物に面して配置され、前記吹出口から吹き出した空気が対象物に沿って流れる溶融室と、
を備える請求項１または２に記載の付着物除去具。
【請求項４】
モータと、
前記モータを駆動源として回転する遠心ファンと、
前記遠心ファンの下流側に配置され、前記モータを駆動源として振動または回転する接触部と、
を備え、
前記接触部は、対象物に付着した付着物に接触した状態で振動または回転することにより、前記付着物を除去する、
ことを特徴とする付着物除去具。
【請求項５】
前記遠心ファンの下流側に配置された回収部、
を備え、
前記回収部は、前記接触部によって前記対象物から除去され、前記遠心ファンによって下流側に流された前記付着物を回収する、
請求項４に記載の付着物除去具。
【請求項６】
前記遠心ファンの上流側に配置されたヒータ、
を備える請求項４または５に記載の付着物除去具。
【請求項７】
モータと、
前記モータを駆動源として回転し、対象物に付着した付着物に向けて空気を吹き付けるファンと、
前記ファンの下流側に配置され、前記対象物から除去された前記付着物を回収する回収部と、
を備えることを特徴とする付着物除去具。
【請求項８】
動力を発生させる駆動源と、
前記駆動源が発生させた動力によって振動する振動部と、
を備え、
前記振動部は、対象物に付着した付着物に接触した状態で振動することにより、前記付着物を除去する、
ことを特徴とする付着物除去具。
【請求項９】
モータまたは駆動源と、
前記モータまたは前記駆動源に電力を供給するＤＣ電源と、
前記モータを駆動源として、または、前記駆動源が発生させた動力によって、対象物に付着した付着物を除去する除去部と、
を備えることを特徴とする付着物除去具。
【発明の詳細な説明】
【技術分野】
【０００１】
本発明は、付着物除去具に関する。
【背景技術】
【０００２】
例えば、寒冷地の屋外に駐車した車両のフロントガラスに付着した霜を除去する自動車用窓ガラス霜取り装置に関する技術が知られている（例えば、特許文献１参照）。特許文献１に記載の技術は、フロントガラスに温風を吹きかけながらブラシがけをすることによって霜を取る。
【先行技術文献】
【特許文献】
【０００３】
【特許文献１】実開昭６１−０６１９４５号公報
【発明の概要】
【発明が解決しようとする課題】
【０００４】
特許文献１に記載の技術では、温風が吹きかけられた部分は、温められて霜が溶融する。これにより、フロントガラスの全面の霜を溶融するためには、時間を要する。また、気温が低い場合、霜が溶融して発生した水滴がフロントガラス上で再凍結するおそれがある。さらに、フロントガラスに雪が付着、堆積している場合、雪を除去することが難しいおそれがある。これらより、車両のフロントガラスに付着した霜や雪のような、対象物に付着した付着物を効率的に除去することに改善の余地がある。
【０００５】
本発明の態様は、対象物に付着した付着物を効率よく除去可能な付着物除去具を提供することを目的とする。
【課題を解決するための手段】
【０００６】
本発明の態様に従えば、モータと、前記モータを駆動源として回転するファンと、前記ファンの上流側または下流側に配置されたヒータと、を備え、前記ファンと前記ヒータとによって、対象物に付着した付着物に向けて温めた空気を吹き出すことにより、前記付着物を除去する、付着物除去具が提供される。
【０００７】
本発明の態様に従えば、モータと、前記モータを駆動源として回転する遠心ファンと、前記遠心ファンの下流側に配置され、前記モータを駆動源として振動または回転する接触部と、を備え、前記接触部は、対象物に付着した付着物に接触した状態で振動または回転することにより、前記付着物を除去する、付着物除去具が提供される。
【０００８】
本発明の態様に従えば、モータと、前記モータを駆動源として回転し、対象物に付着した付着物に向けて空気を吹き付けるファンと、前記ファンの下流側に配置され、前記対象物から除去された前記付着物を回収する回収部と、を備える付着物除去具が提供される。
【０００９】
本発明の態様に従えば、動力を発生させる駆動源と、前記駆動源が発生させた動力によって振動する振動部と、を備え、前記振動部は、対象物に付着した付着物に接触した状態で振動することにより、前記付着物を除去する、付着物除去具が提供される。
【００１０】
本発明の態様に従えば、モータまたは駆動源と、前記モータまたは前記駆動源に電力を供給するＤＣ電源と、前記モータを駆動源として、または、前記駆動源が発生させた動力によって、対象物に付着した付着物を除去する除去部と、を備える付着物除去具が提供される。
【発明の効果】
【００１１】
本発明の態様によれば、対象物に付着した付着物を効率よく除去することができる付着物除去具が提供される。
【図面の簡単な説明】
【００１２】
【図１】図１は、第一実施形態に係る付着物除去具を示す斜視図である。
【図２】図２は、第一実施形態に係る付着物除去具を示す断面図である。
【図３】図３は、第一実施形態に係る付着物除去具を示すブロック図である。
【図４】図４は、第一実施形態に係る付着物除去具の使用方法の一例を示す概略図である。
【図５】図５は、第一実施形態に係る付着物除去具の他の使用態様を示す断面図である。
【図６】図６は、第一実施形態に係る付着物除去具の他の使用態様を示す断面図である。
【図７】図７は、第二実施形態に係る付着物除去具を示す斜視図である。
【図８】図８は、第二実施形態に係る付着物除去具を示す断面図である。
【図９】図９は、図８の付着物除去具の他の使用態様を示す断面図である。
【図１０】図１０は、第二実施形態に係る付着物除去具の他の例を示す断面図である。
【図１１】図１１は、図１０の付着物除去具の他の使用態様を示す断面図である。
【図１２】図１２は、第二実施形態に係る付着物除去具の他の例を示す断面図である。
【図１３】図１３は、図１２の付着物除去具の他の使用態様を示す断面図である。
【図１４】図１４は、第二実施形態に係る付着物除去具の他の例を示す断面図である。
【図１５】図１５は、図１４の付着物除去具の他の使用態様を示す断面図である。
【図１６】図１６は、第三実施形態に係る付着物除去具を示す斜視図である。
【図１７】図１７は、第三実施形態に係る付着物除去具を示す断面図である。
【図１８】図１８は、第三実施形態に係る付着物除去具の他の例を示す断面図である。
【図１９】図１９は、第三実施形態に係る付着物除去具の他の例を示す断面図である。
【図２０】図２０は、第三実施形態に係る付着物除去具の他の例を示す断面図である。
【図２１】図２１は、第三実施形態に係る付着物除去具の駆動回路を示すブロック図である。
【図２２】図２２は、付着物除去具における電動工具用バッテリの装着位置の他の例を示す図である。
【図２３】図２３は、付着物除去具における電動工具用バッテリの装着位置の他の例を示す図である。
【図２４】図２４は、付着物除去具における電動工具用バッテリの装着位置の他の例を示す図である。
【発明を実施するための形態】
【００１３】
以下、本発明の実施形態について、添付図面を参照して詳細に説明する。なお、この実施形態によりこの発明が限定されるものではない。また、下記実施形態における構成要素には、当業者が置換可能かつ容易なもの、または実質的に同一のものを含む。さらに、以下に記載した構成要素は適宜組み合わせることが可能であり、また、実施形態が複数ある場合には、各実施形態を組み合わせることも可能である。
【００１４】
［第一実施形態］
図１は、第一実施形態に係る付着物除去具を示す斜視図である。図２は、第一実施形態に係る付着物除去具を示す断面図である。付着物除去具１０は、例えば、寒冷地の屋外に駐車した車両のフロントガラス(対象物)に付着した霜または雪のような低温の付着物を除去する。付着物除去具１０は、ＤＣ電源から供給される電力によって動作する。本実施形態では、付着物除去具１０は、電動工具に使用する電動工具用バッテリ１００から供給される電力によって動作する。
【００１５】
付着物除去具１０は、モータユニット２０と、ヒータユニット３０と、ノズルユニット４０と、回収ユニット５０と、ハンドルユニット６０と、バッテリ装着部７０と、電気回路９０とを備える。本実施形態では、ヒータユニット３０とノズルユニット４０とが、除去部として機能する。付着物除去具１０は、さらに電動工具用バッテリ１００を含んでもよい。
【００１６】
モータユニット２０は、付着物除去具１０の駆動源である。より詳しくは、モータユニット２０は、対象物に付着した付着物に吹き付ける空気の流れを発生させる。モータユニット２０は、モータ２１と、出力軸２２と、ファン２３と、これらを収容するケーシング２９とを含んでユニット化されている。
【００１７】
モータ２１は、付着物除去具１０の駆動源である。モータ２１は、電動工具用バッテリ１００から供給される電力によって駆動する。モータ２１の回転力は、出力軸２２から出力される。モータ２１は、電気回路９０に接続されている。モータ２１は、制御部９９からの制御信号によって駆動と停止とが制御される。
【００１８】
出力軸２２は、モータ２１の回転力をファン２３に伝達する。出力軸２２は、モータ２１の回転軸と同一軸線上に連結されている。
【００１９】
ファン２３は、モータ２１を駆動源とする。ファン２３は、出力軸２２を介して伝達されたモータ２１の回転力によって駆動する。本実施形態では、ファン２３は、軸流ファンである。ファン２３は、モータ２１の上流側に配置されている。ファン２３が回転して発生した軸流は、下流側に連結されたヒータユニット３０に流入する。また、ファン２３が回転して発生した軸流がモータ２１の外周を通過することにより、モータ２１を冷却可能である。
【００２０】
ケーシング２９は、出力軸２２と平行な方向に沿った軸を有する円筒状に形成されている。ケーシング２９は、内部の空間に、モータ２１と出力軸２２とファン２３とを収容する。ケーシング２９は、軸方向における下流側の端部が、ヒータユニット３０とノズルユニット４０と着脱可能に形成されている。ケーシング２９は、軸方向における上流側の端部に、給気口２９１が形成されている。給気口２９１は、網目状に形成されている。給気口２９１は、防塵フィルタを有することが好ましい。給気口２９１は、ファン２３が回転すると、空気をケーシング２９内に吸い込む。ケーシング２９は、軸方向における下流側の端部に、通気口２９２が形成されている。通気口２９２は、下流側に連結されたユニットの内部と連通する。本実施形態では、通気口２９２は、ヒータユニット３０のケーシング３９の通気口３９１と連通する。
【００２１】
ヒータユニット３０は、対象物に付着した付着物に吹き付ける空気を温める。ヒータユニット３０は、モータユニット２０の上流または下流に配置される。本実施形態では、ヒータユニット３０は、モータユニット２０の下流側に配置され、モータユニット２０で発生させた軸流の空気を温める。ヒータユニット３０は、ヒータ３１と、ヒータ３１を収容したケーシング３９とを含んでユニット化されている。ヒータユニット３０は、付着物除去具１０のアタッチメントとして機能する。
【００２２】
ヒータ３１は、通電されることによって発熱する伝熱線である。ヒータ３１は、電気回路９０に接続されている。ヒータ３１は、空気が通過する流路上に配置されている。本実施形態では、ヒータ３１は、対象物に吹きかけられる温風の温度が、例えば、７０℃程度になる発熱量とすることが好ましい。
【００２３】
ケーシング３９は、モータユニット２０のケーシング２９と同軸の円筒状に形成されている。ケーシング３９は、内部の空間に、ヒータ３１を収容する。ケーシング３９は、軸方向における上流側の端部が、モータユニット２０と着脱可能に形成されている。ケーシング３９は、軸方向における下流側の端部が、ノズルユニット４０と着脱可能に形成されている。ケーシング３９は、軸方向における上流側の端部に、通気口３９１が形成されている。通気口３９１は、上流側に連結されたユニットの内部と連通する。本実施形態では、通気口３９１は、モータユニット２０のケーシング２９の通気口２９２と連通する。通気口３９１は、モータユニット２０で発生された軸流が通過する。ケーシング３９は、軸方向における下流側の端部に、通気口３９２が形成されている。通気口３９２は、下流側に連結されたユニットの内部と連通する。本実施形態では、通気口３９２は、ノズルユニット４０のカバー４１の通気口４１７と連通する。
【００２４】
ノズルユニット４０は、モータユニット２０とヒータユニット３０とによって発生させた温風を、対象物に付着した付着物に吹き付ける。ノズルユニット４０は、軸方向における上流側の端部が、モータユニット２０とヒータユニット３０と着脱可能に形成されている。ノズルユニット４０は、カバー４１と、案内板４２と、第一室４３と、第二室（溶融室）４４と、吹出口４５と、スクレーパ４６と、ワイパゴム４７とを含んでユニット化されている。
【００２５】
カバー４１は、ノズルユニット４０の外形を規定する。カバー４１は、壁部４１１と壁部４１２と壁部４１３と壁部４１４と壁部４１５とによって箱状に形成されている。カバー４１は、軸方向における下流側に開口４１６を有する。カバー４１は、壁部４１５に、通気口４１７が形成されている。通気口４１７は、上流側に連結されたユニットの内部と連通する。本実施形態では、通気口４１７は、ヒータユニット３０のケーシング３９の通気口３９２と連通する。通気口４１７は、ヒータユニット３０を通過した温風が通過する。壁部４１４は、回収ユニット５０と連通する連通口４１８が形成されている。このように構成されたカバー４１の内部の空間は、案内板４２によって第一室４３と第二室４４とに区画されている。
【００２６】
案内板４２は、上流側に連結したユニットからカバー４１内に流入した温風を、吹出口４５に案内する。案内板４２は、カバー４１内に配置されている。案内板４２は、温風の流路の断面積が徐々に狭まるように、軸方向に対して傾斜して配置されている。案内板４２の先端部は、カバー４１の先端部より上流側に位置している。これにより、付着物除去具１０を使用する際に、対象物とカバー４１とが接触しても、対象物と案内板４２とは離間する。案内板４２は、カバー４１内の空間を第一室４３と第二室４４とに区画する。
【００２７】
第一室４３は、案内板４２とカバー４１の壁部４１１と壁部４１２の一部と壁部４１３の一部と壁部４１５とによって区画されている。第一室４３は、カバー４１の通気口４１７から流入した空気が、吹出口４５に向けて通過する。第一室４３における空気の流路の断面積は、上流側から下流側に向かうに連れて狭くなっている。第一室４３の下流側の端部が吹出口４５である。
【００２８】
第二室４４は、案内板４２とカバー４１の壁部４１２の他の部分と壁部４１３の他の部分と壁部４１４とによって区画されている。第二室４４は、吹出口４５の近傍に配置されている。第二室４４は、付着物除去具１０の使用時に対象物に対面する。第二室４４は、吹出口４５から吹き出して対象物に当たった空気が流入して対象物の表面に沿って流れる。第二室４４は、第一室４３と連通している。第二室４４は、連通口４１８を介して回収ユニット５０と連通している。
【００２９】
吹出口４５は、対象物に向けて温風を吹き出す吹出口である。吹出口４５は、モータユニット２０のファン２３とヒータユニット３０のヒータ３１との下流側に配置されている。吹出口４５は、第一室４３の下流側の端部に形成されている。
【００３０】
スクレーパ４６は、付着物を擦って対象物から剥離する。スクレーパ４６は、ヘラ状に形成されている。スクレーパ４６は、吹出口４５に隣接して配置されている。スクレーパ４６は、付着物を対象物から剥離可能で、さらに、対象物に接触しても傷つけない程度の硬さを有する。スクレーパ４６は、対象物と接触する先端部に、例えば、ゴムを含む弾性部材を配置してもよい。
【００３１】
ワイパゴム４７は、開口４１６の周縁部に、スクレーパ４６と向かい合って配置されている。ワイパゴム４７は、連通口４１８の周縁部に配置されている。ワイパゴム４７は、溶融した付着物またはスクレーパ４６によって剥離された付着物片が、対象物の表面を滑ったり飛散したりすることを抑制して、回収ユニット５０へ案内する。ワイパゴム４７は、弾性変形可能なゴムなどの弾性体で構成される。本実施形態では、ワイパゴム４７は、ゴムで形成されている。ワイパゴム４７は、対象物に押し付けられると弾性変形して、対象物に密着する。ワイパゴム４７は、対象物に接触する先端部から回収ユニット５０に向かう傾斜を有することが好ましい。
【００３２】
回収ユニット５０は、溶融した付着物またはスクレーパ４６によって剥離された付着物片を回収する。回収ユニット５０は、モータユニット２０のファン２３の下流側、言い換えると、軸流の流れの下流側に配置される。回収ユニット５０は、溶融した付着物またはスクレーパ４６によって剥離され、下流側に流れた付着物片を回収可能である。回収ユニット５０は、箱状の本体部（回収部）５１を有する。本体部５１は、連通口４１８と連通した開口５１１を有する。回収ユニット５０は、ノズルユニット４０に着脱可能であることが好ましい。
【００３３】
ハンドルユニット６０は、ユーザが把持する把持部である。ハンドルユニット６０は、伸縮可能で、長さが調節可能であることが好ましい。ハンドルユニット６０は、ノズルユニット４０に着脱可能に連結されている。より詳しくは、ハンドルユニット６０は、カバー４１の壁部４１４に配置されている。ハンドルユニット６０は、回収ユニット５０の上部に配置されている。
【００３４】
バッテリ装着部７０は、モータユニット２０のケーシング２９の外周に配置されている。バッテリ装着部７０は、電動工具用バッテリ１００を着脱可能である。バッテリ装着部７０は、電動工具用バッテリ１００を電気回路９０に接続するアダプタとしての機能を有する。バッテリ装着部７０に電動工具用バッテリ１００が装着されると、電動工具用バッテリ１００と電気回路９０とが電気的に接続される。
【００３５】
図３を用いて、電気回路９０について説明する。図３は、第一実施形態に係る付着物除去具を示すブロック図である。本実施形態では、電気回路９０は、モータユニット２０内の上流側に配置されている。電気回路９０は、風量スイッチ９１と、ヒータスイッチ９２と、制御部９９とを有する。
【００３６】
風量スイッチ９１は、モータ２１に対する電力の供給の入切と、モータ２１の回転速度によって調節可能な風量の切替えとを行うスイッチである。風量スイッチ９１は、付着物除去具１０の電源スイッチとしての機能を兼ねている。風量スイッチ９１は、制御部９９と電気的に接続されている。風量スイッチ９１は、モータユニット２０と、ヒータユニット３０と、ノズルユニット４０と、回収ユニット５０と、ハンドルユニット６０と、バッテリ装着部７０とのいずれかの外周に配置されている。風量スイッチ９１が操作されると、信号が生成されて、制御部９９に入力される。例えば、風量スイッチ９１がユーザによって押下されるたびに、モータ２１を低速で回転する電力の供給の開始と、モータ２１を高速で回転する電力の供給の開始と、電力の供給の停止とを切り替える制御を行わせる信号が制御部９９に入力される。言い換えると、風量スイッチ９１がユーザによって押下されるたびに、風量を弱、強、風量ゼロ（電源オフ）と順番に切り替える制御を行わせる信号が制御部９９に入力される。
【００３７】
ヒータスイッチ９２は、ヒータ３１に対する電力の供給の入切を行うスイッチである。ヒータスイッチ９２は、制御部９９と電気的に接続されている。ヒータスイッチ９２は、風量スイッチ９１の近傍に配置されている。ヒータスイッチ９２が操作されると、信号が生成されて、制御部９９に入力される。例えば、ヒータスイッチ９２がユーザによって押下されるたびに、ヒータ３１に対する電力の供給の開始と停止とを切り替える制御を行わせる信号が制御部９９に入力される。
【００３８】
制御部９９は、演算処理を行うＣＰＵ（Ｃｅｎｔｒａｌ  Ｐｒｏｃｅｓｓｉｎｇ  Ｕｎｉｔ）と、プログラムを格納したメモリとを備える。制御部９９は、付着物除去具１０の動作を制御する。制御部９９は、風量スイッチ９１が操作されたことを検知すると、付着物除去具１０を制御する。より詳しくは、風量スイッチ９１がユーザによって押下されたことを検知するたびに、制御部９９は、風量を、弱、強、切と順番に切り替える。ヒータスイッチ９２がユーザによって押下されたことを検知するたびに、制御部９９は、ヒータ３１に対する電力の供給の開始と停止とを順番に切り替える。
【００３９】
制御部９９は、電動工具用バッテリ１００の電圧をモータ２１とヒータ３１とに合わせた電圧を変換する電源回路を含む。制御部９９は、風量スイッチ９１の操作に応じて、モータ２１の回転速度を制御するモータ制御回路を含む。制御部９９は、ヒータスイッチ９２の操作に応じて、ヒータ３１の発熱量を制御するヒータ制御回路を含む。制御部９９は、ヒータ３１の異常発熱、または、過負荷（過電流）からヒータ３１を保護するヒータ異常検出回路を含む。
【００４０】
本実施形態では、電気回路９０がモータユニット２０に配置されている。モータユニット２０とヒータユニット３０とを連結すると、ヒータユニット３０と電気回路９０とが電気的に接続されるようになっている。
【００４１】
電動工具用バッテリ１００は、携帯用の電動工具の電源である。電動工具用バッテリ１００は、電気的に接続された複数のリチウムイオン電池セルが内臓されている。電動工具用バッテリ１００は、図示しない充電器で充電して繰り返し使用することが可能である。電動工具用バッテリ１００は、スライドすることでバッテリ装着部７０に着脱可能である。
【００４２】
電動工具用バッテリ１００とバッテリ装着部７０とは、電動工具用バッテリ１００をバッテリ装着部７０に対してスライドして挿入されることによって、電気的に接続される。また、電動工具用バッテリ１００とバッテリ装着部７０とは、電気的な接続状態を保持するための図示しないロック機構を有する。電動工具用バッテリ１００の解除ボタン１０１を押圧することで、ロック状態が解除される。
【００４３】
次に、このように構成された付着物除去具１０の使用方法と作用とについて説明する。
【００４４】
まず、図４を用いて、付着物除去具１０を使用して車両のフロントガラスに付着した霜を除去する場合について説明する。図４は、第一実施形態に係る付着物除去具の使用方法の一例を示す概略図である。ユーザは、付着物除去具１０のバッテリ装着部７０に、電動工具用バッテリ１００を取り付ける。
【００４５】
ユーザは、付着物除去具１０のハンドルユニット６０を把持して、ノズルユニット４０のカバー４１の開口４１６を車両のフロントガラスに向い合わせる。より詳しくは、ユーザは、車両のフロントガラスにおいて霜を除去したい範囲に付着物除去具１０を位置付ける。ユーザは、スクレーパ４６とワイパゴム４７とをフロントガラスに押し付けた状態で、スクレーパ４６を進行方向前方にして滑らせる。
【００４６】
ユーザは、風量スイッチ９１を操作して所望の風量に設定するとともに、ヒータスイッチ９２を操作してヒータ３１に通電する。付着物除去具１０は、温風を吹出口４５からフロントガラスに向けて吹き出す。
【００４７】
吹出口４５に面したフロントガラスに付着した霜は、吹き出された温風によって溶融する。また、吹出口４５が面している部分より進行方向後方のフロントガラスは、第二室４４に面している。このため、第二室４４に面しているフロントガラスに付着した霜も、第二室４４にフロントガラスに沿って流れる温かい空気によって温められて溶融しやすい状態になる。霜が溶融して生じた水滴と霜の欠片とは、ワイパゴム４７によってさらに後方への移動が規制されるとともに、フロントガラスに沿って流れる温かい空気によって回収ユニット５０に案内されて回収される。回収ユニット５０によって水滴と霜の欠片とを回収することによって、水滴と霜の欠片とが、フロントガラス上で再凍結することが抑制される。また、回収ユニット５０によって水滴と霜の欠片とを回収することによって、水滴と霜の欠片とがユーザに向かって飛散することが抑制される。
【００４８】
また、霜が厚く形成されて容易に溶融しない部分は、温風を吹きかけた後に、スクレーパ４６を使用してフロントガラスから霜を剥離させてもよい。
【００４９】
このようにして、ユーザは、付着物除去具１０をフロントガラスに沿ってゆっくり滑らせながら、フロントガラスに付着した霜を溶融して除去する。このように付着物除去具１０を動かすことによって、吹出口４５が面している部分においてフロントガラスに付着した霜は強力に溶融された後、進行方向後方の第二室４４においても、フロントガラスに沿って流れる温かい空気によって温められて溶融したままの状態で回収ユニット５０にスムーズに回収される。また、吹き出し口が面している部分で溶融されずに残った霜も、進行方向後方の第二室４４で溶融されるため、より確実に回収ユニット５０に回収することができる。
【００５０】
このように付着物除去具１０を進行方向に動かして、ユーザは、付着物除去具１０をまだ霜を除去していないフロントガラスのスペースにずらす。そして、まだ霜を除去していない部分に付着物除去具１０を位置付けて、同様に付着物除去具１０を進行方向に動かして霜を除去する。
【００５１】
つぎに、図５を用いて、付着物除去具１０をドライヤとして使用する場合について説明する。図５は、第一実施形態に係る付着物除去具の他の使用態様を示す断面図である。付着物除去具１０Ａは、モータユニット２０とヒータユニット３０とノズルユニット４０Ａとを含む。ノズルユニット４０Ａは、図２に示す付着物除去具１０のアタッチメントとして機能する。ノズルユニット４０Ａは、カバー４１Ａと案内板４２とを含む。ノズルユニット４０Ａは、カバー４１Ａと案内板４２とで規定された、図２に示すノズルユニット４０の第一室４３と吹出口４５とに相当する部分を含む。付着物除去具１０Ａは、吹出口４５から温風を吹き出す。ユーザは、例えば、作業現場において、局所的に温めたい部分があるとき、ドライヤとして機能する付着物除去具１０Ａを使用して、所定の部分を温めることができる。または、ユーザは、例えば、髪が濡れたとき、ドライヤとして機能する付着物除去具１０Ａを使用して、髪を乾かすことができる。
【００５２】
つぎに、図６を用いて、付着物除去具１０Ａをブロワとして使用する場合について説明する。図６は、第一実施形態に係る付着物除去具の他の使用態様を示す断面図である。付着物除去具１０Ａは、モータユニット２０とノズルユニット４０Ａとを含む。言い換えると、付着物除去具１０Ａは、図５に示す構成から、ヒータユニット３０を取り外した構成である。付着物除去具１０Ａは、吹出口４５から風を吹き出す。ユーザは、例えば、車両のフロントガラスに雪または落ち葉などが付着しているとき、ブロワとして機能する付着物除去具１０Ａを使用して、雪または落ち葉などを吹き飛ばすことができる。また、ブロワとして使用する付着物除去具１０Ａは、ヒータユニット３０を使用しないので、１つの充電済みの電動工具用バッテリ１００によって、高出力かつ長時間使用することができる。
【００５３】
以上説明したように、本実施形態によれば、例えば、車両のフロントガラスに付着した霜を除去する場合、吹出口４５に面したフロントガラスに付着した霜を、温風によって溶融することができる。また、本実施形態によれば、吹出口４５が面している部分の下側も、第二室４４にフロントガラスに沿って流れる温かい空気によってあらかじめ温められるので、効率的に霜を溶融することができる。さらに、本実施形態によれば、霜が溶融して生じた水滴と霜の欠片とを、回収ユニット５０によって回収することができる。これにより、本実施形態は、気温が低い場合であっても、霜が溶融して発生した水滴と霜の欠片とがフロントガラス上で再凍結することを抑制することができる。このようにして、本実施形態は、付着物を効率よく除去することができる。
【００５４】
本実施形態は、溶融して生じた水滴と霜の欠片とを回収ユニット５０によって回収するので、水滴と霜の欠片とがユーザに向かって飛散することを抑制することができる。
【００５５】
本実施形態では、霜が厚く形成されるなどして、温風で容易に溶融しない部分がある場合、温風を吹きかけた後、スクレーパ４６を使用することによって霜を剥離させて除去することができる。
【００５６】
本実施形態では、使用目的に応じて、アタッチメントとして機能するユニットを組み替えることができる。例えば、車両のフロントガラスに雪または落ち葉などが付着しているとき、ブロワとして機能する付着物除去具１０Ａを使用して、雪または落ち葉などを除去することができる。このように、本実施形態によれば、様々な使用目的に応じて、適切に使用することができる。
【００５７】
［第二実施形態］
図７ないし図１５を参照しながら、本実施形態に係る付着物除去具１０Ｂ、付着物除去具１０Ｂ２、付着物除去具１０Ｂ３、付着物除去具１０Ｂ４について説明する。図７は、第二実施形態に係る付着物除去具を示す斜視図である。図８は、第二実施形態に係る付着物除去具を示す断面図である。図９は、図８の付着物除去具の他の使用態様を示す断面図である。図１０は、第二実施形態に係る付着物除去具の他の例を示す断面図である。図１１は、図１０の付着物除去具の他の使用態様を示す断面図である。図１２は、第二実施形態に係る付着物除去具の他の例を示す断面図である。図１３は、図１２の付着物除去具の他の使用態様を示す断面図である。図１４は、第二実施形態に係る付着物除去具の他の例を示す断面図である。図１５は、図１４の付着物除去具の他の使用態様を示す断面図である。付着物除去具１０Ｂ、付着物除去具１０Ｂ２、付着物除去具１０Ｂ３、付着物除去具１０Ｂ４は、基本的な構成は第一実施形態の付着物除去具１０と同様である。以下の説明においては、付着物除去具１０と同様の構成要素には、同一の符号または対応する符号を付し、その詳細な説明は省略する。付着物除去具１０Ｂ、付着物除去具１０Ｂ２、付着物除去具１０Ｂ３、付着物除去具１０Ｂ４は、付着物を剥離させて除去する。
【００５８】
図７ないし図９を用いて、付着物除去具１０Ｂについて説明する。付着物除去具１０Ｂは、回転する接触部によって付着物を剥離させる。付着物除去具１０Ｂは、モータユニット２０Ｂと、ヒータユニット３０Ｂと、スクレーパユニット４０Ｂと、回収ユニット５０と、バッテリ装着部７０と、電気回路９０と、電動工具用バッテリ１００とを備える。本実施形態では、スクレーパユニット４０Ｂが、除去部として機能する。図７においては、ハンドルユニット６０の図示を省略している。ハンドルユニット６０は、カバー４１Ｂに固定されている。
【００５９】
モータユニット２０Ｂは、対象物に付着した付着物を剥離するスクレーパユニット４０Ｂの回転スポンジ（接触部）４４Ｂを回転させる動力を発生させる。モータユニット２０Ｂは、モータ２１と、出力軸２２Ｂと、これらを収容するケーシング２９とを含む。出力軸２２Ｂは、モータ２１の回転力をスクレーパユニット４０Ｂに伝達する。出力軸２２Ｂは、ヒータユニット３０Ｂが装着されているとき、ヒータユニット３０Ｂを貫通する。
【００６０】
ヒータユニット３０Ｂは、スクレーパユニット４０Ｂの遠心ファン４３Ｂの上流側に配置されている。ヒータユニット３０Ｂは、遠心ファン４３Ｂが吸い込む空気を温める。ヒータ３１Ｂの中央部には図示しない空間部が形成されており、空間部を出力軸２２Ｂが貫通している。
【００６１】
スクレーパユニット４０Ｂは、対象物に回転する回転スポンジ４４Ｂを接触させて、付着物を擦って剥離し除去する。スクレーパユニット４０Ｂは、軸方向における上流側の端部が、モータユニット２０Ｂとヒータユニット３０Ｂと着脱可能に形成されている。スクレーパユニット４０Ｂは、カバー４１Ｂと、回転体４２Ｂと、遠心ファン４３Ｂと、回転スポンジ４４Ｂとを有する。
【００６２】
カバー４１Ｂは、モータユニット２０のケーシング２９と同軸の円筒状に形成されている。
【００６３】
回転体４２Ｂは、出力軸２２Ｂに連結されている。回転体４２Ｂは、出力軸２２Ｂとともに回転する。回転体４２Ｂは、円形の板材で形成されている。回転体４２Ｂは、図示しない操作スイッチによって、回転速度が調節可能である。例えば、回転体４２Ｂは、回転速度を、低速と高速と停止とで切り替え可能である。回転体４２Ｂの回転速度は、モータ２１の回転速度を制御することで調節可能である。
【００６４】
遠心ファン４３Ｂは、モータ２１を駆動源とする。遠心ファン４３Ｂは、回転体４２Ｂの表面４２Ｂａに配置されている。遠心ファン４３Ｂは、出力軸２２Ｂを介して伝達されたモータ２１の回転力によって駆動する。遠心ファン４３Ｂが回転して発生した気流は、対象物の表面から回収ユニット５０へと流れる。
【００６５】
回転スポンジ４４Ｂは、モータ２１を駆動源とする。回転スポンジ４４Ｂは、遠心ファン４３Ｂの下流側に配置されている。回転スポンジ４４Ｂは、回転体４２Ｂの裏面４２Ｂｂに配置されている。回転スポンジ４４Ｂは、出力軸２２Ｂを介して伝達されたモータ２１の回転力によって回転する。回転スポンジ４４Ｂは、例えば、対象物である車両のフロントガラスに接触してもフロントガラスを傷つけない程度の硬さを有する。回転スポンジ４４Ｂは、柔らかいスポンジをドラム状にして形成されている。
【００６６】
ユーザは、付着物除去具１０Ｂのモータユニット２０Ｂを把持して、スクレーパユニット４０Ｂの回転スポンジ４４Ｂを車両のフロントガラスに押し付ける。ユーザは、操作スイッチを操作して所望の回転速度に設定するとともに、ヒータスイッチを操作してヒータ３１Ｂに通電する。フロントガラスに付着した霜は、回転する回転スポンジ４４Ｂに接触することで、擦られて剥離される。また、カバー４１Ｂの開口４１６Ｂが面している部分は、ヒータ３１Ｂと遠心ファン４３Ｂとによって生じた温風によって温められて溶融が進む。剥離された霜の欠片と霜が溶融して生じた水滴とは、遠心ファン４３Ｂによって生じた温風の流れによって、吹き飛ばされて回収ユニット５０によって回収される。
【００６７】
ユーザは、付着物除去具１０Ｂをゆっくり動かしながら、フロントガラスに付着した霜を溶融しながら擦って剥離し除去する。
【００６８】
また、図９に示すように、付着物除去具１０Ｂを、ヒータユニット３０Ｂを外して使用してもよい。付着物除去具１０Ｂは、モータユニット２０Ｂとスクレーパユニット４０Ｂとを含む。ユーザは、付着物除去具１０Ｂをゆっくり動かしながら、フロントガラスに付着した霜を擦って剥離し除去する。ユーザは、例えば、温風を使用せずに付着物を除去可能である場合、または、１つの充電済みの電動工具用バッテリ１００による付着物除去具１０Ｂの使用時間を長くしたいとき、ヒータユニット３０Ｂを外して使用することができる。
【００６９】
図１０、図１１を用いて、付着物除去具１０Ｂ２について説明する。付着物除去具１０Ｂ２は、回転する回転ブラシ（接触部）４４Ｂ２によって付着物を剥離させる。付着物除去具１０Ｂ２は、モータユニット２０Ｂと、ヒータユニット３０Ｂと、ブラシユニット４０Ｂ２と、回収ユニット５０と、バッテリ装着部７０と、電気回路９０と、電動工具用バッテリ１００とを備える。付着物除去具１０Ｂ２は、図８に示す付着物除去具１０Ｂのスクレーパユニット４０Ｂの回転スポンジ４４Ｂに代わって、ブラシユニット４０Ｂ２の回転ブラシ４４Ｂ２を含む。
【００７０】
ブラシユニット４０Ｂ２は、対象物に回転する回転ブラシ４４Ｂ２を接触させて付着物を擦って剥離し除去する。ブラシユニット４０Ｂ２は、カバー４１Ｂと、回転体４２Ｂと、遠心ファン４３Ｂと、回転ブラシ４４Ｂ２とを有する。回転ブラシ４４Ｂ２は、モータ２１を駆動源とする。回転ブラシ４４Ｂ２は、出力軸２２Ｂを介して伝達されたモータ２１の回転力によって回転する。
【００７１】
ユーザは、付着物除去具１０Ｂ２のモータユニット２０Ｂを把持して、ブラシユニット４０Ｂ２の回転ブラシ４４Ｂ２を、対象物である車両のフロントガラスに押し付ける。フロントガラスに付着した霜は、回転する回転ブラシ４４Ｂ２に接触することで、擦られて剥離される。また、カバー４１Ｂの開口４１６Ｂが面している部分は、ヒータ３１Ｂと遠心ファン４３Ｂとによって生じた温風によって温められて溶融が進む。
【００７２】
また、図１１に示すように、付着物除去具１０Ｂ２を、ヒータユニット３０Ｂを外して使用してもよい。
【００７３】
図１２、図１３を用いて、付着物除去具１０Ｂ３について説明する。付着物除去具１０Ｂ３は、振動ユニット４０Ｂ３の対象物と接触する部分に設けられたゴム（接触部）４４Ｂ３の振動によって付着物を剥離させる。付着物除去具１０Ｂ３は、モータユニット２０Ｂと、ヒータユニット３０Ｂと、振動ユニット４０Ｂ３と、回収ユニット５０と、バッテリ装着部７０と、電気回路９０と、電動工具用バッテリ１００とを備える。付着物除去具１０Ｂ３は、図８に示す付着物除去具１０Ｂのスクレーパユニット４０Ｂの回転スポンジ４４Ｂに代わって、振動ユニット４０Ｂ３のゴム４４Ｂ３を含む。
【００７４】
振動ユニット４０Ｂ３は、対象物にゴム４４Ｂ３を接触させて付着物を剥離し除去する。振動ユニット４０Ｂ３は、カバー４１Ｂと、回転体４２Ｂと、遠心ファン４３Ｂと、ゴム４４Ｂ３と、ウェイト４５Ｂ３と、防振ゴム４６Ｂ３とを有する。
【００７５】
ウェイト４５Ｂ３は、回転体４２Ｂに偏心して配置されている。ウェイト４５Ｂ３が偏心して配置されているので、回転体４２Ｂが振動する。回転体４２Ｂの振動は、出力軸２２Ｂを介してモータ２１に伝達される。モータ２１の振動によって、ケーシング２９とケーシング３９とが振動する。
【００７６】
ゴム４４Ｂ３は、対象物に接触した状態で振動する。振動ユニット４０Ｂ３は、対象物と接触する部分にゴムが配置されている。振動ユニット４０Ｂ３は、支持部４４１Ｂ３によって、ヒータユニット３０Ｂのケーシング３９に固定されている。ゴム４４Ｂ３は、モータ２１の振動によってケーシング２９とケーシング３９が振動することで振動する。
【００７７】
防振ゴム４６Ｂ３は、ヒータユニット３０Ｂと振動ユニット４０Ｂ３との連結部分に介在するように配置され、カバー４１Ｂに固定された図示しないハンドルユニット６０への振動の伝達を遮断する。防振ゴム４６Ｂ３は、リング状に形成されている。防振ゴム４６Ｂ３は、モータ２１の振動が振動ユニット４０Ｂ３のカバー４１Ｂに伝達されることを規制する。
【００７８】
ユーザは、付着物除去具１０Ｂ３のモータユニット２０Ｂを把持して、振動ユニット４０Ｂ３のゴム４４Ｂ３を、対象物である車両のフロントガラスに押し付ける。フロントガラスに付着した霜は、振動するゴム４４Ｂ３によって剥離される。また、カバー４１Ｂの開口４１６Ｂが面している部分は、ヒータ３１Ｂと遠心ファン４３Ｂとによって生じた温風によって温められて溶融が進む。
【００７９】
また、図１３に示すように、付着物除去具１０Ｂ３を、ヒータユニット３０Ｂを外して使用してもよい。
【００８０】
図１４、図１５を用いて、付着物除去具１０Ｂ４について説明する。付着物除去具１０Ｂ４は、振動するブラシ（接触部）４４Ｂ４によって付着物を剥離させる。付着物除去具１０Ｂ４は、モータユニット２０Ｂと、ヒータユニット３０Ｂと、振動ユニット４０Ｂ４と、回収ユニット５０と、バッテリ装着部７０と、電気回路９０と、電動工具用バッテリ１００とを備える。付着物除去具１０Ｂ４は、図１２に示す付着物除去具１０Ｂ３の振動ユニット４０Ｂ３のゴム４４Ｂ３に代わってブラシ４４Ｂ４を含む。
【００８１】
ブラシ４４Ｂ４は、対象物に接触した状態で振動する。ブラシ４４Ｂ４は、対象物と接触する部分にブラシが配置されている。
【００８２】
ユーザは、付着物除去具１０Ｂ４のモータユニット２０Ｂを把持して、振動ユニット４０Ｂ４のブラシ４４Ｂ４を、対象物である車両のフロントガラスに押し付ける。フロントガラスに付着した霜は、振動するブラシ４４Ｂ４によって剥離される。また、カバー４１Ｂの開口４１６Ｂが面している部分は、ヒータ３１Ｂと遠心ファン４３Ｂとによって生じた温風によって温められて溶融が進む。
【００８３】
また、図１４に示すように、付着物除去具１０Ｂ４を、ヒータユニット３０Ｂを外して使用してもよい。
【００８４】
以上説明したように、本実施形態によれば、例えば、車両のフロントガラスに付着した霜を、擦ったり振動させたりすることにより、剥離させることができる。また、本実施形態では、ヒータユニット３０Ｂを連結して使用すると、カバー４１Ｂの開口４１６Ｂが面している部分を温めて溶融を進めることができる。このようにして、本実施形態は、付着物を効率よく除去することができる。
【００８５】
［第三実施形態］
図１６なしい図２０を参照しながら、本実施形態に係る付着物除去具１０Ｃ、付着物除去具１０Ｃ２、付着物除去具１０Ｃ３、付着物除去具１０Ｃ４について説明する。図１６は、第三実施形態に係る付着物除去具を示す斜視図である。図１７は、第三実施形態に係る付着物除去具を示す断面図である。図１８は、第三実施形態に係る付着物除去具の他の例を示す断面図である。図１９は、第三実施形態に係る付着物除去具の他の例を示す断面図である。図２０は、第三実施形態に係る付着物除去具の他の例を示す断面図である。付着物除去具１０Ｃ、付着物除去具１０Ｃ２、付着物除去具１０Ｃ３、付着物除去具１０Ｃ４は、付着物を振動によって剥離させて除去する。本実施形態では、バッテリ装着部７０と電動工具用バッテリ１００とは図示を省略する。
【００８６】
図１７を用いて、付着物除去具１０Ｃについて説明する。付着物除去具１０Ｃは、振動によって付着物を剥離させる。付着物除去具１０Ｃは、駆動ユニット（駆動源）２０Ｃと、振動ユニット４０Ｃと、図示しないバッテリ装着部７０と、図示しない電動工具用バッテリ１００とを備える。本実施形態では、振動ユニット４０Ｃが、除去部として機能する。
【００８７】
駆動ユニット２０Ｃは、対象物に付着した付着物を剥離する振動ユニット４０Ｃの振動子（振動部）４１Ｃを振動させて動力を発生させる。駆動ユニット２０Ｃは、駆動回路２１Ｃを有する。駆動回路２１Ｃは、高周波で振動させる超音波発振回路または音波発振回路である。駆動回路２１Ｃは、ケーシング２９Ｃに収容されている。
【００８８】
振動ユニット４０Ｃは、振動子４１Ｃと、共振部材４２Ｃとを含む。振動子４１Ｃは、共振部材４２Ｃの先端側に固定されている。共振部材４２Ｃは、他端側がケーシング２９Ｃに固定されている。共振部材４２Ｃは、振動子４１Ｃと共振することによって振動する。
【００８９】
図１８、図１９を用いて、付着物除去具１０Ｃ２について説明する。付着物除去具１０Ｃ２は、振動子４１Ｃ２が低周波で振動する。付着物除去具１０Ｃ２は、対象物と接触する部分にゴム４２Ｃ２またはブラシ４２Ｃ３が配置された振動伝達部材４４Ｃ２を有する。このように構成することにより、対象物が傷つくことを抑制することが可能である。
【００９０】
図２０を用いて、付着物除去具１０Ｃ４について説明する。付着物除去具１０Ｃ４は、振動子４１Ｃ２が低周波で振動する。付着物除去具１０Ｃ４は、対象物と接触する部分にゴム４２Ｃ２またはブラシ４２Ｃ３を有する。振動伝達部材４４Ｃ４は、防振ゴム４３Ｃ４を介して、ケーシング２９Ｃに配置されている。これらにより、対象物が傷つくことを抑制することが可能である。また、振動子４１Ｃ２によってケーシング２９Ｃが振動することを抑制することが可能である。
【００９１】
図２１を用いて、駆動回路２１Ｃについて説明する。図２１は、第三実施形態に係る付着物除去具を示すブロック図である。本実施形態では、駆動回路２１Ｃは、振動子４１Ｃ、振動子４１Ｃ２の上流側に配置されている。駆動回路２１Ｃは、電源スイッチ２１１Ｃと、発振回路２１２Ｃとを有する。
【００９２】
以上説明したように、本実施形態によれば、例えば、車両のフロントガラスに付着した霜を、振動する振動子によって剥離させることができる。
【００９３】
第一実施形態では、バッテリ装着部７０をモータユニット２０の径方向の周面に配置する例を説明したが、これに限定されない。図２１ないし図２３を用いて、電動工具用バッテリ１００の配置の他の例について説明する。図２１は、付着物除去具における電動工具用バッテリの装着位置の他の例を示す図である。図２２は、付着物除去具における電動工具用バッテリの装着位置の他の例を示す図である。図２３は、付着物除去具における電動工具用バッテリの装着位置の他の例を示す図である。
【００９４】
図２２に示すように、付着物除去具１０Ｄは、電動工具用バッテリ１００を軸方向の上流側に配置してもよい。より詳しくは、電動工具用バッテリ１００は、モータユニット２０Ｄのケーシング２９Ｄの軸方向の上流側の端部に配置してもよい。この場合、モータユニット２０Ｄのケーシング２９Ｄは、径方向の周面に給気口２９１Ｄを有する。ノズルユニット４０Ｄは、軸方向と異なる方向に面した開口４１６Ｄを有してもよい。
【００９５】
または、図２３に示すように、付着物除去具１０Ｄ２は、電動工具用バッテリ１００をモータユニット２０の径方向の周面に配置してもよい。この場合、モータユニット２０Ｄ２のケーシング２９Ｄは、軸方向の上流側の端部に給気口２９１Ｄを有する。
【００９６】
または、図２４に示すように、付着物除去具１０Ｄ３は、バッテリアダプダ１１０を介して電動工具用バッテリ１００を装着可能としてもよい。
【００９７】
上記では、電動工具用バッテリ１００から供給される電力によって駆動するものとして説明したが、商用電源等の交流電源から供給される電力によって駆動するものであってもよい。
【符号の説明】
【００９８】
１０…付着物除去具、２０…モータユニット、２１…モータ、２２…出力軸、２３…ファン、２９…ケーシング、２９１…給気口、２９２…通気口、３０…ヒータユニット（除去部）、３１…ヒータ、３９…ケーシング、３９１…通気口、３９２…通気口、４０…ノズルユニット（除去部）、４１…カバー、４１６…開口、４１７…通気口、４１８…連通口、４２…案内板、４３…第一室、４４…第二室（溶融室）、４５…吹出口、４６…スクレーパ、４７…ワイパゴム、５０…回収ユニット、５１…本体部（回収部）、６０…ハンドルユニット、７０…バッテリ装着部、９０…電気回路、９１…風量スイッチ、９２…ヒータスイッチ、９９…制御部、１００…電動工具用バッテリ。
【図１】
2019206222.tif 000003
【図２】
2019206222.tif 000004
【図３】
2019206222.tif 000005
【図４】
2019206222.tif 000006
【図５】
2019206222.tif 000007
【図６】
2019206222.tif 000008
【図７】
2019206222.tif 000009
【図８】
2019206222.tif 000010
【図９】
2019206222.tif 000011
【図１０】
2019206222.tif 000012
【図１１】
2019206222.tif 000013
【図１２】
2019206222.tif 000014
【図１３】
2019206222.tif 000015
【図１４】
2019206222.tif 000016
【図１５】
2019206222.tif 000017
【図１６】
2019206222.tif 000018
【図１７】
2019206222.tif 000019
【図１８】
2019206222.tif 000020
【図１９】
2019206222.tif 000021
【図２０】
2019206222.tif 000022
【図２１】
2019206222.tif 000023
【図２２】
2019206222.tif 000024
【図２３】
2019206222.tif 000025
【図２４】
2019206222.tif 000026